(57)【特許請求の範囲】
【請求項１】
着脱式のパッケージ装置を挿入可能な複数のスロットを持ち、各スロットには複数種類のパッケージ装置のうちの１つを挿入可能で、スロットに挿入したパッケージ装置に多種多様な通信装置を接続することで、通信装置を広域網に接続する集線型通信装置であって、
前記スロットに挿入可能なパッケージ装置の種類ごとに、どの種類のパッケージ装置がどのサービスをサポートしているかを示すパッケージ種別情報テーブルと、
前記複数種類のパッケージ装置に接続可能な通信装置の種別ごとに、どの種類の通信装置がどのサービスをサポートしているかを示す通信装置種別情報テーブルと、
前記複数のスロットのどのスロットにどの種類のパッケージ装置の挿入を許可するのかを示すスロット・パッケージ装置種別対応テーブルと、
を保持し、
前記複数のスロットの中の１つを示すスロット番号および当該スロット番号が示すスロットに挿入されたパッケージ装置に接続を許可する通信装置の種類を示す通信装置種別コードを取得し、当該取得した各情報と、前記パッケージ種別情報テーブルおよび前記通信装置種別情報テーブルとに基づいて、前記スロット・パッケージ装置種別対応テーブルを更新するテーブル更新手段と、
前記スロットにパッケージ装置が挿入された場合に当該スロットと当該パッケージ装置の組合せが正しいか否かを前記スロット・パッケージ装置種別対応テーブルに基づいて判定する判定手段と、
を備えることを特徴とする集線型通信装置。
【請求項２】
前記テーブル更新手段は、
前記取得した情報に基づく更新処理を実行すると前記取得したスロット番号が示すスロットへの挿入を許可するパッケージ装置の種類が存在しなくなる場合、スロット・パッケージ装置種別対応テーブルを更新せずに、当該スロット番号とともに取得した通信装置種別コードが示す種類の通信装置を接続不可通信装置として扱うことを特徴とする請求項１に記載の集線型通信装置。
【請求項３】
前記スロット・パッケージ装置種別対応テーブルは、パッケージ装置が未挿入のスロットについては挿入を許可する１または複数のパッケージ装置の種類を示し、
前記テーブル更新手段は、
所定スロットにパッケージ装置が挿入され、かつ当該パッケージ装置が当該スロットへの挿入を許可する種類のパッケージ装置の場合、当該スロットへの挿入を許可する種類を当該挿入されたパッケージ装置の種類のみを示すように、前記スロット・パッケージ装置種別対応テーブルを更新することを特徴とする請求項１または２に記載の集線型通信装置。
【請求項４】
パッケージ装置がスロットから抜去された場合、
前記テーブル更新手段は、
前記パッケージ種別情報テーブルおよび前記通信装置種別情報テーブルに基づいて、前記スロット・パッケージ装置種別対応テーブルを、パッケージ装置が抜去されたスロットへの挿入を許可するパッケージ装置の種類のすべてを示すように更新することを特徴とする請求項３に記載の集線型通信装置。
【請求項５】
着脱式のパッケージ装置を挿入可能な複数のスロットを持ち、各スロットには複数種類のパッケージ装置のうちの１つを挿入可能で、スロットに挿入したパッケージ装置に多種多様な通信装置を接続することで、通信装置を広域網に接続する集線型通信装置であって、
前記スロットに挿入可能なパッケージ装置の種類ごとに、どの種類のパッケージ装置がどのサービスをサポートしているかを示すパッケージ種別情報テーブルと、
前記複数種類のパッケージ装置に接続可能な通信装置の種別ごとに、どの種類の通信装置がどのサービスをサポートしているかを示す通信装置種別情報テーブルと、
前記パッケージ装置に接続される可能性がある通信装置を示す通信装置ＩＤとその種類を示す通信装置種別コードの対応関係を示す通信装置テーブルと、
前記複数のスロットのどのスロットにどの種類のパッケージ装置の挿入を許可するのかを示すスロット・パッケージ装置種別対応テーブルと、
を保持し、
ユーザが使用する通信装置の通信装置ＩＤ、当該通信装置の接続先とするパッケージ装置を挿入するスロットを示すスロット番号および当該ユーザが要求するサービスを示す情報を取得し、当該取得した各情報と、前記パッケージ種別情報テーブルおよび前記通信装置種別情報テーブルとに基づいて、前記スロット・パッケージ装置種別対応テーブルを更新するテーブル更新手段と、
前記スロットにパッケージ装置が挿入された場合に当該スロットと当該パッケージ装置の組合せが正しいか否かを前記スロット・パッケージ装置種別対応テーブルに基づいて判定する判定手段と、
を備えることを特徴とする集線型通信装置。
【請求項６】
前記テーブル更新手段は、
前記取得した情報に基づく更新処理を実行すると前記取得したスロット番号が示すスロットへの挿入を許可するパッケージ装置の種類が存在しなくなる場合、スロット・パッケージ装置種別対応テーブルを更新せずに、当該スロット番号とともに取得した通信装置ＩＤに対応する通信装置を接続不可通信装置として扱うことを特徴とする請求項５に記載の集線型通信装置。
【請求項７】
前記スロット・パッケージ装置種別対応テーブルは、パッケージ装置が未挿入のスロットについては挿入を許可する１または複数のパッケージ装置の種類を示し、
前記テーブル更新手段は、
所定スロットにパッケージ装置が挿入され、かつ当該パッケージ装置が当該スロットへの挿入を許可する種類のパッケージ装置の場合、当該スロットへの挿入を許可する種類を当該挿入されたパッケージ装置の種類のみを示すように、前記スロット・パッケージ装置種別対応テーブルを更新することを特徴とする請求項５または６に記載の集線型通信装置。
【請求項８】
パッケージ装置がスロットから抜去された場合、
前記テーブル更新手段は、
前記パッケージ種別情報テーブルおよび前記通信装置種別情報テーブルに基づいて、前記スロット・パッケージ装置種別対応テーブルを、パッケージ装置が抜去されたスロットへの挿入を許可するパッケージ装置の種類のすべてを示すように更新することを特徴とする請求項７に記載の集線型通信装置。
【請求項９】
着脱式のパッケージ装置を挿入可能な複数のスロットを持ち、前記スロットに挿入可能なパッケージ装置の種類ごとに、どの種類のパッケージ装置がどのサービスをサポートしているかを示すパッケージ種別情報テーブルと、前記複数種類のパッケージ装置に接続可能な通信装置の種別ごとに、どの種類の通信装置がどのサービスをサポートしているかを示す通信装置種別情報テーブルと、前記複数のスロットのどのスロットにどの種類のパッケージ装置の挿入を許可するのかを示すスロット・パッケージ装置種別対応テーブルと、を保持し、前記スロットにパッケージ装置が挿入された場合に当該スロットと当該パッケージ装置の組合せが正しいか否かを前記スロット・パッケージ装置種別対応テーブルに基づいて判定する判定手段を備えた集線型通信装置、を管理する管理装置であって、
前記複数のスロットの中の１つを示すスロット番号および当該スロット番号が示すスロットに挿入されたパッケージ装置に接続を許可する通信装置の種類を示す通信装置種別コードを取得し、当該取得した各情報と、前記パッケージ種別情報テーブルおよび前記通信装置種別情報テーブルとに基づいて、前記スロット・パッケージ装置種別対応テーブルを更新するテーブル更新手段、
を備えることを特徴とする管理装置。
【請求項１０】
着脱式のパッケージ装置を挿入可能な複数のスロットを持ち、前記スロットに挿入可能なパッケージ装置の種類ごとに、どの種類のパッケージ装置がどのサービスをサポートしているかを示すパッケージ種別情報テーブルと、前記複数種類のパッケージ装置に接続可能な通信装置の種別ごとに、どの種類の通信装置がどのサービスをサポートしているかを示す通信装置種別情報テーブルと、前記パッケージ装置に接続される可能性がある通信装置を示す通信装置ＩＤとその種類を示す通信装置種別コードの対応関係を示す通信装置テーブルと、前記複数のスロットのどのスロットにどの種類のパッケージ装置の挿入を許可するのかを示すスロット・パッケージ装置種別対応テーブルと、を保持し、前記スロットにパッケージ装置が挿入された場合に当該スロットと当該パッケージ装置の組合せが正しいか否かを前記スロット・パッケージ装置種別対応テーブルに基づいて判定する判定手段を備えた集線型通信装置、を管理する管理装置であって、
ユーザが使用する通信装置の通信装置ＩＤ、当該通信装置の接続先とするパッケージ装置を挿入するスロットを示すスロット番号および当該ユーザが要求するサービスを示す情報を取得し、当該取得した各情報と、前記パッケージ種別情報テーブルおよび前記通信装置種別情報テーブルとに基づいて、前記スロット・パッケージ装置種別対応テーブルを更新するテーブル更新手段、
を備えることを特徴とする管理装置。
【発明の詳細な説明】
【技術分野】
【０００１】
本発明は、アクセス装置を収容する集線型通信装置、および集線型通信装置を管理する管理装置に関する。
【背景技術】
【０００２】
インターネット接続等を提供するアクセス網においては、ユーザの端末が接続されるアクセス装置（例えば、ＯＮＵ：Optical  Network  Unit）と、それらを収容する集線装置（例えば、ＯＬＴ：Optical  Line  Terminal）により構成されている。多種多様なユーザニーズに対応するため、アクセス装置には様々な種類があり、また、集線装置においても、様々な種類の着脱可能なパッケージを必要に応じてスロットに挿入して使用する。
【０００３】
また、メトロ網においても、ユーザに提供する通信サービス、例えば、１０Ｇ−Ｅｔｈｅｒｎｅｔ（登録商標）、ＳＤＨ（Synchronous  Digital  Hierarchy）といった要求に従い、ＷＤＭ（Wavelength  Division  Multiplexing）装置に様々なパッケージから必要なものを選択して、スロットに挿入して使用する。
【０００４】
このように、複数種類のパッケージから必要なものを選択して、スロットに挿入して使用することが可能な通信装置における、従来の装置構成管理では、当該スロットに挿入すべきパッケージの種別を予め管理装置やコンソールターミナルを使用して管理者が登録しておき、パッケージを実際に実装したときに、登録されている種別と合っているか確認し、間違っていた場合は工事ミスを警報として通知する。また、パッケージに収容するアクセス装置（アクセス網の場合）や通信サービス（メトロ網の場合）を登録するときに、アクセス装置や通信サービスが当該パッケージで対応できるかを登録情報から判断し、登録誤りを防止する。アクセス装置を収容するパッケージの選定方法、パッケージへのアクセス装置の登録方法は、例えば、特許文献１で開示されている。
【先行技術文献】
【特許文献】
【０００５】
【特許文献１】特開２００３−１８６２３号公報
【発明の概要】
【発明が解決しようとする課題】
【０００６】
従来の装置構成管理方式では、着脱可能なパッケージが正しいスロットに挿入されているかどうかを判断するためには、予め管理者が通信装置のスロットに、どのパッケージを挿入するか登録しておく必要があるため、現地でパッケージを挿入する作業のほかにも、管理者による登録作業が必要であり、また、パッケージを上位互換パッケージに交換する場合、管理者がパッケージの種類の登録を１つ１つ変更しなければならないという問題があった。
【０００７】
本発明は、上記に鑑みてなされたものであって、管理者などによるパッケージの事前登録作業が不要になるとともに、パッケージの誤実装検出が可能な集線型通信装置および管理装置を得ることを目的とする。
【課題を解決するための手段】
【０００８】
上述した課題を解決し、目的を達成するために、本発明は、着脱式のパッケージ装置を挿入可能な複数のスロットを持ち、各スロットには複数種類のパッケージ装置のうちの１つを挿入可能で、スロットに挿入したパッケージ装置に多種多様な通信装置を接続することで、通信装置を広域網に接続する集線型通信装置であって、前記スロットに挿入可能なパッケージ装置の種類ごとに、どの種類のパッケージ装置がどのサービスをサポートしているかを示すパッケージ種別情報テーブルと、前記複数種類のパッケージ装置に接続可能な通信装置の種別ごとに、どの種類の通信装置がどのサービスをサポートしているかを示す通信装置種別情報テーブルと、前記複数のスロットのどのスロットにどの種類のパッケージ装置の挿入を許可するのかを示すスロット・パッケージ装置種別対応テーブルと、を保持し、前記複数のスロットの中の１つを示すスロット番号および当該スロット番号が示すスロットに挿入されたパッケージ装置に接続を許可する通信装置の種類を示す通信装置種別コードを取得し、当該取得した各情報と、前記パッケージ種別情報テーブルおよび前記通信装置種別情報テーブルとに基づいて、前記スロット・パッケージ装置種別対応テーブルを更新するテーブル更新手段と、前記スロットにパッケージ装置が挿入された場合に当該スロットと当該パッケージ装置の組合せが正しいか否かを前記スロット・パッケージ装置種別対応テーブルに基づいて判定する判定手段と、を備えることを特徴とする。
【発明の効果】
【０００９】
本発明によれば、管理者による登録作業（どのスロットにどのパッケージを挿入するのかを予め決定して登録する作業）が不要になるとともに、誤ったパッケージが挿入されたことを検出して作業ミスを防止可能な集線型通信装置を実現できるという効果を奏する。
【図面の簡単な説明】
【００１０】
【図１】図１は、本発明にかかる集線型通信装置および管理装置を含んで構成される通信システムの一例を示す図である。
【図２】図２は、集線装置およびアクセス装置の構成例を示す図である。
【図３】図３は、集線装置が備えているＣＰＵパッケージによって構築・更新される管理情報データベースの構造の一例を示す図である。
【図４】図４は、集線装置が備えているＣＰＵパッケージの機能ブロック構成の一例を示す図である。
【図５】図５は、許容パッケージ種別コードリストの登録内容の状態遷移図である。
【図６】図６は、実施の形態２の集線装置が備えているＣＰＵパッケージによって構築・更新される管理情報データベースの構造の一例を示す図である。
【図７】図７は、集線装置が備えているＣＰＵパッケージの機能ブロック構成の一例を示す図である。
【図８】図８は、許容パッケージ種別コードリストの登録内容の状態遷移図である。
【発明を実施するための形態】
【００１１】
以下に、本発明にかかる集線型通信装置および管理装置の実施の形態を図面に基づいて詳細に説明する。なお、この実施の形態によりこの発明が限定されるものではない。
【００１２】
実施の形態１．
図１は、本発明にかかる集線型通信装置および管理装置を含んで構成される通信システムの一例を示す図である。図１に示した通信システムは、複数種類（タイプＡ〜タイプＤ）のアクセス装置１、集線装置２、広域網３および管理装置４を含み、集線装置２および管理装置４は広域網３に接続されている。図１では１台の集線装置２を記載しているが、複数の集線装置２を含む構成としてもよい。
【００１３】
アクセス装置１は、ユーザ網やユーザ端末を広域網に収容する。集線装置２は、アクセス装置１を集線して、広域網に接続する。広域網３は、複数の集線装置２や管理装置４との間の通信を実現する広域の通信網である。さらに広域網３は様々なサービスを提供するために必要なユーザ端末とサービスサーバ（図では省略している）の間の通信も実現している。管理装置４は、広域網３を介して集線装置２やアクセス装置１を管理者が管理するための装置である。
【００１４】
また、図２は、集線装置２およびアクセス装置１の構成例を示す図である。集線装置２はＣＰＵパッケージ２１と、複数のスロットＳ１〜Ｓｎを持ち、ＣＰＵパッケージ２１は管理装置４と通信を行い、スロットＳ１〜Ｓｎに実装されるパッケージを制御するとともに、集線装置２の構成管理を行う。スロットＳ１〜Ｓｎは、複数の種類があるパッケージから必要なパッケージを選択して自由に挿入して使用できるスロットで、挿入されたパッケージのタイプを示すパッケージ種別コードをパッケージから読み取り、ＣＰＵパッケージ２１に通知する機能を持つ。
【００１５】
パッケージ２２（タイプａ〜ｎ）は、通信機能を提供する着脱式のパッケージ装置であり、種別（タイプａ〜ｎ）に応じて、それぞれが多くの通信機能やサービスのうちの１ないし複数の機能を提供する。集線装置２は、必要に応じて１ないし複数のパッケージ２２をスロットに挿入して使用する。スロットＳ１〜Ｓｎに挿入するパッケージ２２は、全て同じタイプのパッケージとしてもよいし、異なるタイプのパッケージを混在させてもよい。
【００１６】
アクセス装置１（タイプＡ〜Ｎ）は、図１に示したアクセス装置１に相当する。各タイプのアクセス装置１はユーザに提供可能なサービスが同一であったり、異なっていたりする。アクセス装置１は、適切なパッケージ２２のパッケージポートに接続することで、広域網３に接続する。また、アクセス装置１には、各アクセス装置を一意に識別するアクセス装置ＩＤと、アクセス装置のタイプを示すアクセス装置種別コードが予め設定されている。
【００１７】
また、図３は、集線装置２が備えているＣＰＵパッケージ２１によって構築・更新される管理情報データベースの構造の一例を示す図である。管理情報データベースは、パッケージ種別情報テーブル３０、アクセス装置種別情報テーブル４０、アクセス装置テーブル５０およびパッケージテーブル６０を含んで構成されている。
【００１８】
パッケージ種別情報テーブル３０は、パッケージ２２の種別ごとに、サポートする機能やサービスを記載したデータベースであり、パッケージ２２の種別を一意に示すパッケージ種別コード３１、サポート可能なアクセス装置１との伝送速度を示すアクセス装置収容伝送速度種別３２、アクセス装置１を接続するポートの数を示すパッケージポート数３３、１つのポートに収容可能なアクセス装置１の上限を示すパッケージポート当たりの収容アクセス装置数３４、および各種サービスのサポート状況を示すサポートサービス情報３５（サービスＡ〜サービスＮ）で構成されている。
【００１９】
アクセス装置種別情報テーブル４０は、アクセス装置１の種別ごとに、サポートする機能やサービスを記載したデータベースであり、アクセス装置１の種別を一意に示すアクセス装置種別コード４１、集線装置２との伝送速度を示す伝送速度種別４２、ユーザ端末やユーザネットワークを接続するポートの数を示すユーザポート数４３、および各種サービスのサポート状況を示すサポートサービス情報４４（サービスＡ〜サービスＮ）で構成されている。
【００２０】
アクセス装置テーブル５０は、実際に集線装置２に接続するアクセス装置１のデータベースであり、アクセス装置１を一意に識別するアクセス装置ＩＤ５１、集線装置２のスロットのうち、アクセス装置１を接続するパッケージ２２が挿入されているスロットの位置を示すスロット番号５２と、接続するパッケージ２２のポートの位置を示すパッケージポート番号５３、およびアクセス装置１の種別を示すアクセス装置種別コード５４で構成される。
【００２１】
パッケージテーブル６０は、集線装置２の各スロットに実装可能なパッケージ２２の種別を示すデータベースであり、集線装置２のスロットの位置を示すスロット番号６１、および各スロットに実装可能なパッケージ種別コードをスロット番号ごとに列挙する許容パッケージ種別コードリスト６２で構成される。
【００２２】
また、図４は、集線装置２が備えているＣＰＵパッケージ２１の機能ブロック構成の一例を示す図である。ＣＰＵパッケージ２１は、主要な機能を実行する処理ブロックとして、アクセス装置登録処理部２１１、パッケージ管理部２１２、パッケージ適合判定部２１３およびアクセス装置適合判定部２１４を備えている。なお、ＣＰＵパッケージ２１においては、図示を省略した記憶部が管理情報データベース（図３参照）を保持している。
【００２３】
アクセス装置登録処理部２１１は、管理者によるアクセス装置１の登録イベントを処理し、必要に応じてパッケージテーブル６０を更新する。パッケージ管理部２１２は、スロットＳ１〜Ｓｎに挿入されたパッケージ２２の情報を取得し、データベースにより管理する。判定手段としてのパッケージ適合判定部２１３は、パッケージ２２が挿入された場合に、図３に示したデータベースに登録されている情報に基づいて、挿入されたパッケージ２２が適合するか否か（スロットとパッケージの組合せに問題が無いかどうか）を判定する。アクセス装置適合判定部２１４は、図３に示したデータベースに登録されている情報に基づいて、アクセス装置１がパッケージ２２に収容可能か否かを判定する。なお、アクセス装置登録処理部２１１およびアクセス装置適合判定部２１４はテーブル更新手段を構成する。
【００２４】
また、図５は、集線装置２が備えているスロットに対する許容パッケージ種別コードリスト６２の登録内容の状態遷移図である。図５において、状態Ａは、対応するスロットにパッケージ２２が挿入されておらず、かつ許容パッケージ種別コードリスト６２にアクセス装置１の種別コード（アクセス装置種別コード）も登録されていない初期の状態である。状態Ｂ１〜Ｂｎは、１ないし複数のアクセス装置１の種別コードが登録されているが、パッケージ２２がまだ挿入されていない状態である。状態Ｃは、パッケージ２２が挿入されている状態である。
【００２５】
次に動作について説明する。
【００２６】
まず、集線装置２の運用を開始する初期状態では、図３のパッケージ種別情報テーブル３０およびアクセス装置種別情報テーブル４０には、予め、この集線装置２で対応する１つ以上のパッケージ種別情報（パッケージ種別コード３１、アクセス装置収容伝送速度種別３２、…）およびアクセス装置種別情報（アクセス装置種別コード４１、伝送速度種別４２、…）が設定されている。この２つのテーブルの情報は、新たなタイプのアクセス装置１やパッケージ２２を集線装置２が使用する必要が発生したときのみ、例えば管理装置４により更新し、通常は変更しない。
【００２７】
この初期状態における、許容パッケージ種別コードリスト６２は、図５に示した状態Ａであり、パッケージ種別情報テーブル３０に登録されている、全パッケージ種別コード（パッケージ種別コード３１に登録されているコードの全て）が設定されている。
【００２８】
この状態で、アクセス装置テーブル５０の各情報（アクセス装置ＩＤ５１、スロット番号５２、…）を管理者が入力してアクセス装置１の登録を開始すると、アクセス装置登録処理部２１１は、入力された情報の中のスロット番号とアクセス装置種別コードを添えて、適合するパッケージの検索をアクセス装置適合判定部２１４に依頼する。
【００２９】
適合するパッケージの検索依頼を受けたアクセス装置適合判定部２１４は、まず、管理者により指定されたスロット（入力されたスロット番号）キーとしてパッケージテーブル６０を検索し、許容パッケージ種別コードリスト６２を取得する。次に、取得した許容パッケージ種別コードリスト６２に含まれているパッケージ種別コードの各々について、入力されたアクセス装置種別コードに対応するアクセス装置１との適合性をチェックする。即ち、取得した許容パッケージ種別コードリストに含まれているパッケージ種別コードの１つを検索キーとしてパッケージ種別情報テーブル３０を検索して情報（以下、パッケージ種別情報レコードと称する）を取り出し、このパッケージ種別情報レコードを、入力されたアクセス装置種別コードを検索キーとしてアクセス装置種別情報テーブル４０を検索することにより得られる情報（以下、アクセス装置種別情報レコードと称する）と比較し、アクセス装置（入力されたアクセス装置種別コードに対応するアクセス装置）が必要としているサービスの全てを、上記検索キーとしたパッケージ種別コードに対応するパッケージがサポートしているか確認する。以上の確認動作を上記取得した許容パッケージ種別コードリスト６２に含まれているパッケージ種別コードの全てについて実行する。全てのパッケージ種別コードについて確認動作が終了すると、アクセス装置適合判定部２１４は、全てのサービスをサポートしているパッケージのパッケージ種別コードを適合パッケージ種別コードとし、全ての適合パッケージ種別コードのリストをアクセス装置登録処理部２１１に返す。
【００３０】
ここで、例えばパッケージ２２とアクセス装置１など、装置同士の組合せの適合性（組み合わせが正しいか否か）について説明する。本実施の形態では、下位の装置がサポートしている機能（サービスともいう）の全てについて、上位の装置がサポートしている場合、すなわち、上位の装置と下位の装置を組み合わせたとき、下位の装置が、サポートしている全ての機能を使用できる場合、適合性ありと判断する。例えば、パッケージ２２とアクセス装置１の組合せの場合、下位の装置であるアクセス装置１がサポートしている機能の全てについて、上位の装置であるパッケージ２２でサポートされていれば、適合性ありとなる。アクセス装置１とユーザ端末の組合せの場合には、ユーザ端末がサポートしている機能の全てについて、アクセス装置１でサポートされていれば、適合性ありとなる。
【００３１】
アクセス装置登録処理部２１１は、アクセス装置テーブル５０に該当アクセス装置の情報を登録するとともに、アクセス装置適合判定部２１４から返されたパッケージ種別コードリストをそのスロットの許容パッケージ種別コードリスト６２へ登録する。この結果、許容パッケージ種別コードリスト６２が更新される。また、許容パッケージ種別コードリスト６２の状態は、図５の状態Ｂ１となる。
【００３２】
以上の処理はアクセス装置１を登録する毎に繰返し実行する。また、アクセス装置適合判定部２１４から出力された適合パッケージ種別コードのリストに１つもパッケージ種別コードが含まれない場合、アクセス装置登録処理部２１１は、そのアクセス装置１は登録不可（該当パッケージへの接続を許可しない装置）として、管理者に通知し、登録処理を中止する。このようにして、許容パッケージ種別コードリスト６２には結果として全てのアクセス装置に適合するパッケージのパッケージ種別コードリストのみ登録されることになる（図５の状態Ｂｎ）。
【００３３】
この状態でパッケージ２２が挿入されると、パッケージ管理部２１２が起動し、挿入されたパッケージ２２のパッケージ種別コードをパッケージ２２から取得し、取得したパッケージ種別コードと、パッケージ２２が挿入されたスロットのスロット番号とをパッケージ適合判定部２１３に通知してパッケージの適合判定を依頼する。
【００３４】
パッケージ種別コードとスロット番号の通知を受けたパッケージ適合判定部２１３は、通知されたスロット番号に対応する許容パッケージ種別コードリスト６２が、通知されたパッケージ種別コードを含んでいるかどうか確認し、含んでいる場合は「適合」、含んでいない場合は「不適合」とした結果を返す。
【００３５】
パッケージ管理部２１２は、パッケージ適合判定部２１３での判定結果が「適合」の場合、パッケージ２２が挿入されたスロットに対応する許容パッケージ種別コードリスト６２を、挿入されたパッケージ２２のパッケージ種別コード１つのみに書き換える（図５の状態Ｃ）。一方、判定結果が「不適合」の場合には、パッケージ誤実装をＳＮＭＰ（Simple  Network  Management  Protocol）のＴｒａｐやＬＥＤの点灯といった手段で管理者に通知し、データベースの書き換えは行わない。このようにして、パッケージ２２挿入以前に登録された全アクセス装置に適合するパッケージ２２が挿入された場合のみ、図５の状態Ｃに移行し、それ以外の場合は、誤実装として処理する。
【００３６】
また、状態Ｃに移行すると、パッケージ２２が挿入されたスロットに対応する許容パッケージ種別コードリスト６２には、実装されているパッケージ２２のパッケージ種別コードのみが登録されている状態となるので、実装されているパッケージ２２に適合しないアクセス装置１は、アクセス装置適合判定部２１４で適合パッケージなしの判定となり、誤って登録されることはない。
【００３７】
更に、アクセス装置１を登録する前にパッケージ２２を挿入すると、対応する許容パッケージ種別コードリスト６２には全てのパッケージ種別が登録されているので、パッケージ適合判定部２１３の結果は常に適合となり、挿入したパッケージ２２のパッケージ種別コードのみが許容パッケージ種別コードリスト６２に登録され、以後同様に、実装されているパッケージ２２に適合しないアクセス装置１は、アクセス装置適合判定部２１４で適合パッケージなしの判定となり、誤って登録されることはない。
【００３８】
次に、運用中のパッケージ２２を上位互換パッケージに交換する場合の動作について、説明する。ここで、運用中のパッケージ２２の機能（サービス）は、全て上位互換パッケージで包含され、上位互換パッケージには更に新しい機能が追加されているものとする。
【００３９】
まず、図５の状態Ｃで運用中のパッケージ２２をスロットから抜去すると、パッケージ管理部２１２が起動し、アクセス装置適合判定部２１４に対し、パッケージ２２が抜去されたスロットのスロット番号を指定して、許容パッケージ種別コードリスト６２の再生成を依頼する。
【００４０】
上記の再生成依頼を受けたアクセス装置適合判定部２１４は、指定されたスロット番号を検索キーとしてアクセス装置テーブル５０で検索し、スロット番号が一致する全てのアクセス装置１のアクセス装置種別コード５４を抽出する。そして、それらのアクセス装置種別コード５４に対応するアクセス装置種別情報テーブル４０のレコードと、パッケージ種別情報テーブル３０の各レコードを比較し、抽出したアクセス装置種別コード５４に対応するアクセス装置１の機能（サービス）を全てサポートできるパッケージ種別コード３１のみをリスト化し、返す。
【００４１】
パッケージ管理部２１２は、アクセス装置適合判定部２１４から返されたリスト（パッケージ種別コードのリスト）を該当スロットの許容パッケージ種別コードリスト６２として登録する。抜去したパッケージ２２以外の、登録されているアクセス装置１をサポート可能な全パッケージのコードも、許容パッケージ種別コードリスト６２に登録されることになる。
【００４２】
次に、上位互換パッケージを当該スロットに挿入すると、先のパッケージ２２を挿入したときと同じ処理が行われ、上位互換パッケージは先のパッケージ２２の機能を包含しているため、パッケージ適合判定部２１３は「適合」と判定し、上互換パッケージのパッケージ種別コードで状態Ｃに移行する。
【００４３】
以上のように、本実施の形態にかかる集線装置２は、挿入されるパッケージの種別ごとに、サポートしているサービスの情報などが登録されたパッケージ種別情報テーブル３０と、パッケージに接続されるアクセス装置の種別ごとに、サポートしているサービスの情報などが登録されたアクセス装置種別情報テーブル４０とを保持しており、管理者によりアクセス装置テーブル５０への情報（アクセス装置ＩＤ，スロット番号，パッケージポート番号，アクセス装置種別コード）の登録操作が行われると、登録操作で入力された情報と、パッケージ種別情報テーブル３０およびアクセス装置種別情報テーブル４０とに基づいて、入力されたスロット番号のスロットへの挿入を許可するパッケージ種別のリスト（許容パッケージ種別コードリスト６２）を生成することとした。そして、パッケージがスロットに挿入された場合、許容パッケージ種別コードリスト６２に基づいて、パッケージとスロットの組合せが正しいかどうか判定することとした。また、登録操作は、ネットワーク（広域網３）を介して接続された管理装置４により行うこととした。これにより、管理者によるパッケージ登録作業（どのスロットにどのパッケージを挿入するのかを予め決定して登録する作業）が不要になるとともに、誤ったパッケージが挿入されたことを検出して作業ミスを防止できる。
【００４４】
また、同一パッケージに接続する装置として登録する全てのアクセス装置１を一度に収容可能なパッケージ２２を、当該スロットに挿入可能なパッケージ種別としてＣＰＵパッケージ２１が決定し、また、１つもパッケージ２２が決定できない場合は、そのアクセス装置１は登録不可能として管理者に通知しているので、パッケージ２２を実際にスロットに挿入していない場合でも、アクセス装置１の誤登録を防止できる。
【００４５】
更に、パッケージ２２が実際に挿入されている場合は、そのパッケージの種別のみを当該スロットに挿入可能なパッケージ種別としてＣＰＵパッケージ２１が判断するので、管理者によるパッケージ登録を行わなくても、そのパッケージが収容不可能なアクセス装置が誤って登録されるのを防止できる。
【００４６】
また、パッケージ２２が抜去された場合、抜去されたスロットに挿入可能なパッケージ２２の種別を、登録済みのアクセス装置から再度決定するようにしているので、パッケージ２２を交換する際に、同一のパッケージ２２ではなく、抜去したパッケージ２２の機能を包含する別のパッケージを挿入しても、パッケージ情報の変更といった管理者による操作なしに、新しいパッケージで運用できる。
【００４７】
尚、以上の例では、許容パッケージ種別コードリスト６２の修正をＣＰＵパッケージ２１が実施していたが、管理装置４が実施するようにしても、同様の効果が得られる。
【００４８】
実施の形態２．
以上の実施の形態１では、アクセス装置１の登録情報からパッケージテーブル６０の許容パッケージ種別コードリスト６２を生成するようにしたものであるが、次に、ユーザ情報（後述するユーザ情報テーブルに含まれる各種情報）を登録するときに、アクセス装置テーブルと許容パッケージ種別コードリストを生成する実施形態を示す。なお、システム全体の構成は実施の形態１と同様とする（図１参照）。実施の形態１と区別するために、本実施の形態の集線装置を集線装置２ａと呼ぶ。本実施の形態では、実施の形態１と異なる部分について説明する。
【００４９】
図６は、実施の形態２の集線装置２ａが備えているＣＰＵパッケージ２１ａによって構築・更新される管理情報データベースの構造の一例を示す図である。本実施の形態の管理情報データベースは、実施の形態１と同様のパッケージ種別情報テーブル３０、アクセス装置種別情報テーブル４０およびパッケージテーブル６０と、アクセス装置テーブル５０ａおよびユーザ情報テーブル７０とを含んで構成されている。
【００５０】
アクセス装置テーブル５０ａは、実施の形態１の集線装置２が保持していたアクセス装置テーブル５０（図３参照）からスロット番号５２およびパッケージポート番号５３を削除したものである。
【００５１】
ユーザ情報テーブル７０は、ユーザを一意に識別するユーザＩＤ７１、ユーザが使用するアクセス装置１が接続されたパッケージ２２の挿入位置（当該パッケージ２２を挿入するスロット）を示すスロット番号７２、アクセス装置１を接続するパッケージポートの位置を示すパッケージポート番号７３、アクセス装置１を一意に識別するアクセス装置ＩＤ７４、ユーザが使用するアクセス装置の通信ポートを示すユーザポート番号７５、およびユーザが利用するサービスを示す利用サービス情報７６（サービスＡ〜Ｎ）で構成されている。
【００５２】
また、図７は、集線装置２ａが備えているＣＰＵパッケージ２１ａの機能ブロック構成の一例を示す図である。ＣＰＵパッケージ２１ａは、主要な機能を実行する処理ブロックとして、パッケージ管理部２１２ａ、パッケージ適合判定部２１３ａ、アクセス装置適合判定部２１４ａ、ユーザ登録処理部２１５およびユーザ適合判定部２１６を備えている。
【００５３】
パッケージ適合判定部２１３ａは、図６に示したデータベースに登録されている情報に基づいて、挿入されたパッケージが適合するか否か（スロットとパッケージの組合せに問題が無いかどうか）を判定する。アクセス装置適合判定部２１４ａは、図６に示したデータベースに登録されている情報に基づいて、アクセス装置１がパッケージに収容可能か、およびユーザに適用可能か判定する。ユーザ登録処理部２１５は、管理者によるユーザ登録イベントを処理する。ユーザ適合判定部２１６は、登録しようとしているユーザが登録可能か判定する。
【００５４】
また、図８は、集線装置２ａが備えているスロットに対する許容パッケージ種別コードリスト６２の登録内容の状態遷移図である。図８において、状態Ａは、対応するスロットにパッケージ２２が挿入されておらず、かつユーザも登録されていない初期の状態である。状態Ｂ１〜Ｂｎは、１ないし複数のユーザ装置（ユーザが使用するアクセス装置）が登録されているが、パッケージがまだ挿入されていない状態である。状態Ｃは、パッケージ２２が挿入されている状態である。
【００５５】
次に動作について説明する。
【００５６】
まず、集線装置２ａの運用を開始する初期状態では、実施の形態１と同様に、図６のパッケージ種別情報テーブル３０およびアクセス装置種別情報テーブル４０には、予め、この集線装置２ａで対応するパッケージ種別（パッケージ種別コード３１、アクセス装置収容伝送速度種別３２、…）、アクセス装置種別（アクセス装置種別コード４１、伝送速度種別４２、…）を設定しておく。この２つのテーブルの情報は、新たなタイプのアクセス装置１やパッケージ２２を集線装置２ａが使用する必要が発生したときのみ、例えば管理装置４より更新し、通常は変更しない。
【００５７】
この初期状態における、許容パッケージ種別コードリスト６２は、図８における状態Ａであり、パッケージ種別情報テーブル３０に登録されている、全パッケージ種別コード（パッケージ種別コード３１に登録されているコードの全て）が設定されている。
【００５８】
この状態でユーザ情報テーブル７０の各情報（ユーザＩＤ７１、スロット番号７２、…）を管理者が入力してユーザ登録を開始すると、ユーザ登録処理部２１５は、入力された情報の中のアクセス装置ＩＤと一致するレコードがアクセス装置テーブル５０ａに登録されているか確認する。一致するレコードが登録されていない場合、入力されたユーザ情報（ユーザＩＤ７１、スロット番号７２、…）を添えて、適合するパッケージ種別の検索をユーザ適合判定部２１６に依頼する。なお、一致するレコードが登録されている場合はユーザの追加登録となる。この場合の動作については別途説明する。
【００５９】
適合するパッケージ種別の検索依頼を受けたユーザ適合判定部２１６は、まず、受け取ったユーザ情報内のスロット番号を検索キーとしてパッケージテーブル６０を検索し、許容パッケージ種別コードリスト６２を取得する。次に、取得した許容パッケージ種別コードリスト６２に含まれているパッケージ種別コードの各々について、対応するパッケージ種別情報テーブル３０のパッケージ種別情報レコード（取得したパッケージ種別コードの１つとパッケージ種別コード３１が一致しているレコード）とユーザ情報とを比較し、各パッケージ種別コードに対応するパッケージがユーザに必要なサービスをすべてサポートしているか否か確認する。上記取得した許容パッケージ種別コードリスト６２に含まれているコード（パッケージ種別コード）の全てについて、ユーザに必要なサービスをすべてサポートしているか否かの確認が終了すると、ユーザ適合判定部２１６は、ユーザに必要なサービスをすべてサポートしているパッケージのパッケージ種別コードのリストを作成して、ユーザ登録処理部２１５に返す。
【００６０】
次に、ユーザ登録処理部２１５は、ユーザ適合判定部２１６から取得したパッケージ種別コードのリストをパッケージテーブル６０に登録する。すなわち、取得したパッケージ種別コードのリストを上記入力されたユーザ情報のスロット番号７２に対応する許容パッケージ種別コードリスト６２に設定する。また、ユーザ情報をユーザ情報テーブル７０に登録する。この結果、許容パッケージ種別コードリスト６２は、図８の状態Ｂ１となる。
【００６１】
以上の処理はユーザを登録する毎に繰返し実行する。また、ユーザ適合判定部２１６から出力されたパッケージ種別コードのリストに１つもパッケージ種別コードが含まれない場合、ユーザ登録処理部２１５は、そのユーザおよび対応するアクセス装置は登録不可（該当パッケージへの接続を許可しない）として、管理者に通知し、登録処理を中止する。このようにして、パッケージ種別コードリストは結果として全てのユーザに適合するパッケージのパッケージ種別コードリストのみ登録されることになる（図８の状態Ｂｎ）。
【００６２】
この状態でパッケージ２２が挿入されると、パッケージ管理部２１２ａが起動し、挿入されたパッケージ２２のパッケージ種別コードをパッケージ２２から取得し、取得したパッケージ種別コードと、パッケージ２２が挿入されたスロットのスロット番号とをパッケージ適合判定部２１３ａに通知してパッケージの適合判定を依頼する。
【００６３】
パッケージ種別コードとスロット番号の通知を受けたパッケージ適合判定部２１３ａは、通知されたスロット番号を検索キーとしてパッケージテーブル６０を検索して許容パッケージ種別コードリスト６２を取得する。そして、取得した許容パッケージ種別コードリスト６２が、通知されたパッケージ種別コードを含んでいるかどうか確認する。当該パッケージ種別コードを含んでいる場合は「適合」、含んでいない場合には「不適合」とした結果を返す。
【００６４】
パッケージ管理部２１２は、パッケージ適合判定部２１３ａによる判定結果が「適合」の場合、パッケージ２２が挿入されたスロットに対応する許容パッケージ種別コードリスト６２を、挿入されたパッケージ２２のパッケージ種別コード１つのみに書き換える（図８の状態Ｃ）。一方、判定結果が「不適合」の場合には、パッケージ誤実装をＳＮＭＰのＴｒａｐやＬＥＤの点灯といった手段で管理者に通知し、データベースの書き換えは行わない。このようにして、パッケージ２２挿入以前に登録された全ユーザ情報に含まれるアクセス装置ＩＤのアクセス装置に適合するパッケージ２２が挿入された場合のみ、図８の状態Ｃに移行し、それ以外の場合は、誤実装として処理する。
【００６５】
次に、アクセス装置１を設置すると、パッケージ管理部２１２ａが起動し、アクセス装置１が設置された（接続された）パッケージ２２よりパッケージのスロット番号と、設置されたアクセス装置１のアクセス装置ＩＤと、アクセス装置種別コードとを取得する。そして、アクセス装置テーブル５０ａに当該アクセス装置ＩＤに対応するレコードが登録されているかどうか確認する。登録されていない場合、スロット番号、アクセス装置ＩＤおよびアクセス装置種別コードを指定して、アクセス装置適合判定部２１４ａに適合判定を依頼する。登録されている場合、同じアクセス装置ＩＤを持つアクセス装置１が２台存在することになり、接続するアクセス装置１にアクセス装置ＩＤが誤って設定されていることを示すので、アクセス装置１の誤設定をＳＮＭＰのＴｒａｐやＬＥＤの点灯といった手段で管理者に通知し、ここで処理が終了となる。
【００６６】
パッケージ管理部２１２ａから適合判定を依頼されたアクセス装置適合判定部２１４ａは、まず、指定されたアクセス装置ＩＤを検索キーとしてユーザ情報テーブル７０を検索し、対応する情報（以下、ユーザ情報レコードと称する）を取得する。なお、取得するユーザ情報レコードは複数の場合もある。次に、取得したユーザ情報レコードの各々を、指定されたアクセス装置種別コードを検索キーとしてアクセス装置種別情報テーブル４０を検索することにより得られるアクセス装置種別情報レコードと比較し、比較対象としたユーザ情報レコードに対応するユーザが要求する全てのサービスを、当該アクセス装置種別情報レコードに対応するアクセス装置１（すなわち、設置されたアクセス装置１）がサポートしているか否か確認する。更に、指定されたスロット番号に対応する許容パッケージ種別コードリスト６２に含まれているパッケージ種別コードの１つを検索キーとしてパッケージ種別情報テーブル３０を検索して得られたパッケージ種別情報レコードと、指定されたアクセス装置種別コードを検索キーとしてアクセス装置種別情報テーブル４０を検索して得られたアクセス装置種別情報レコードとを比較し、当該アクセス装置種別情報レコードに対応するアクセス装置１（すなわち、設置されたアクセス装置１）がサポートしている全てのサービスを当該パッケージ種別情報レコードに対応するパッケージ２２（すなわち、アクセス装置１が接続されたパッケージ２２）がサポートしているか否か確認する。
【００６７】
アクセス装置適合判定部２１４ａは、上記の確認の結果、アクセス装置１が、収容する全てのユーザが要求している全てのサービスをサポートし、かつ、パッケージ２２が、接続されたアクセス装置１がサポートしている全てのサービスをサポートしている場合には「適合」、そうでない場合は「不適合」との結果をパッケージ管理部２１２ａに返す。尚、アクセス装置適合判定部２１４ａは、最初に実行する検索、すなわち、パッケージ管理部２１２ａ〜指定されたアクセス装置ＩＤを検索キーとしたユーザ情報テーブル７０の検索において、一致するユーザ情報レコードを発見できなかった場合、接続されたアクセス装置１がサポートしている全てのサービスをパッケージ２２がサポートしていれば、「適合」と判断する。
【００６８】
パッケージ管理部２１２ａは、アクセス装置適合判定部２１４ａでの判定結果が「適合」の場合、設置されたアクセス装置１のアクセス装置ＩＤおよびアクセス装置種別コードをアクセス装置テーブル５０ａに登録する。
【００６９】
また、状態Ｃでは、許容パッケージ種別コードリストには実装されているパッケージのみ登録されている状態となるので、実装されているパッケージ２２に適合しないアクセス装置１は、アクセス装置適合判定部２１４で適合パッケージなしの判定となり、誤接続を検出できる。また、ユーザ登録においても、ユーザ適合判定部２１６で、実装されているパッケージに適合しないユーザは適合パッケージなしの判定となり、ユーザの誤登録も防止できる。
【００７０】
次に、接続済みのアクセス装置１を使用するユーザを追加で登録する場合、ユーザ登録時にアクセス装置テーブル５０ａをアクセス装置ＩＤ（追加登録のために入力されたアクセス装置ＩＤ）で検索すると一致するレコードが見つかるので、見つかったレコードのアクセス装置種別コード５４および追加登録するユーザ情報（ユーザＩＤ，スロット番号，パッケージポート番号，…）を通知してアクセス装置適合判定部２１４ａに適合判定を依頼する。
【００７１】
アクセス装置適合判定部２１４ａは、通知されたユーザ情報を、通知されたアクセス装置種別コードを検索キーとしてアクセス装置種別情報テーブル４０を検索することにより得られるアクセス装置種別情報レコードを比較し、当該ユーザ情報に対応するユーザに必要なサービスを、当該ユーザ情報に対応するアクセス装置が全てサポートしているか判断する。全てサポートしている場合は「適合」、そうでない場合は「不適合」の結果をユーザ登録処理部２１５に返す。
【００７２】
ユーザ登録処理部２１５は、アクセス装置適合判定部２１４ａでの判定結果が「適合」の場合、追加登録のために入力されたユーザ情報をユーザ情報テーブル７０に登録する。「不適合」の場合、ユーザ登録処理部２１５は、そのユーザは登録不可として、管理者に通知し、登録処理を中止する。このように、接続済みのアクセス装置１にユーザを追加登録する場合は、アクセス装置テーブル５０ａにて接続されているアクセス装置１（入力されたアクセス装置ＩＤに対応するアクセス装置１）がユーザをサポートできるか確認し、ユーザの誤登録を防止する。
【００７３】
次に、運用中のパッケージ２２を上位互換パッケージに交換する場合の動作について、説明する。ここで、運用中のパッケージ２２のサービスは、全て上位互換パッケージで包含され、上位互換パッケージには更に新しいサービスが追加されているものとする。
【００７４】
まず、図８の状態Ｃで運用中のパッケージ２２をスロットから抜去すると、パッケージ管理部２１２ａが起動し、ユーザ適合判定部２１６に対し、パッケージ２２が抜去されたスロットのスロット番号を指定して、許容パッケージ種別コードリスト６２の再生成を依頼する。
【００７５】
ユーザ適合判定部２１６は、指定されたスロット番号を検索キーとしてユーザ情報テーブル７０を検索し、ユーザ情報レコードを取得する。なお、取得するユーザ情報レコードは複数の場合もある。次に、取得したユーザ情報レコードの各々を、パッケージ種別情報テーブル３０の各パッケージ種別情報レコードと比較し、ユーザ情報レコードに対応するユーザがそれぞれ要求するサービスの全てをサポート可能なパッケージ種別コードのリストをユーザごとに作成する。また、作成したパッケージ種別コードのリストをパッケージ管理部２１２ａに返す。
【００７６】
パッケージ管理部２１２ａは、返されたリストを該当スロット（依頼時に指定したスロット番号に対応するスロット）の許容パッケージ種別コードリスト６２として、パッケージテーブル６０に登録する。抜去したパッケージ２２以外の、登録されているアクセス装置１をサポート可能な全パッケージのコードも、許容パッケージ種別コードリスト６２に登録されることになる。
【００７７】
次に、上位互換パッケージを当該スロットに挿入すると、先のパッケージ２２を挿入したときと同じ処理が行われ、上位互換パッケージは先のパッケージ２２の機能を包含しているため、パッケージ適合判定部２１３ａは「適合」と判定し、上互換パッケージのパッケージ種別コードで状態Ｃに移行する。
【００７８】
以上のように、本実施の形態にかかる集線装置２ａは、挿入されるパッケージの種別ごとに、サポートしているサービスの情報などが登録されたパッケージ種別情報テーブル３０と、パッケージに接続されるアクセス装置の種別ごとに、サポートしているサービスの情報などが登録されたアクセス装置種別情報テーブル４０とを保持しており、管理者によりユーザ情報テーブル７０への情報（ユーザＩＤ，スロット番号，パッケージポート番号，アクセス装置ＩＤ，…）の登録操作が行われると、登録操作で入力された情報と、パッケージ種別情報テーブル３０およびアクセス装置種別情報テーブル４０とに基づいて、入力されたスロット番号のスロットへの挿入を許可するパッケージ種別のリスト（許容パッケージ種別コードリスト６２）を生成することとした。また、登録操作は、ネットワーク（広域網３）を介して接続された管理装置４により行うこととした。これにより、実施の形態１と同様に、管理者によるパッケージ登録作業（どのスロットにどのパッケージを挿入するのかを予め決定して登録する作業）が不要になるとともに、誤ったパッケージが挿入されたことを検出して作業ミスを防止できる。
【００７９】
また、同一パッケージに接続するとして登録する全ユーザを一度に収容可能なパッケージを、当該スロットに挿入可能なパッケージ種別としてＣＰＵパッケージ２１ａが決定し、また、１つもパッケージが決定できない場合は、そのユーザは登録不可能として管理者に通知しているので、パッケージを実際にスロットに挿入していない場合でも、ユーザの誤登録を防止できる。
【００８０】
更に、アクセス装置についても、ユーザ情報と、ユーザ情報から決定されたパッケージ情報からＣＰＵパッケージが適合判定を行っているので、アクセス装置の登録なしに、誤った種類のアクセス装置が接続されたことを検出できる。
【００８１】
更に、パッケージが実際に挿入されている場合は、そのパッケージ種別のみを当該スロットに挿入可能なパッケージ種別としてＣＰＵパッケージが判断するので、管理者によるパッケージ登録を行わなくても、そのパッケージが収容不可能なアクセス装置が誤って接続されたり、サポートできないユーザを登録したりすることを防止できる。
また、パッケージが抜去された場合、当該スロットに挿入可能なパッケージ種別を、登録済みのアクセス装置から再度決定するようにしているので、パッケージを交換する際に、同一のパッケージでなくとも、抜去したパッケージの機能を包含する別のパッケージを挿入しても、パッケージ情報の変更といった管理者による操作なしに、新しいパッケージで運用できる。
【００８２】
尚、以上の例では、許容パッケージ種別コードリスト６２の修正をＣＰＵパッケージ２１ａが実施していたが、管理装置４が実施しても、同様の効果が得られる。
【産業上の利用可能性】
【００８３】
以上のように、本発明にかかる集線型通信装置は、着脱式のパッケージ装置を挿入可能なスロットを有し、スロットには着脱式パッケージ装置のうちの１つを挿入し、その着脱式パッケージ装置に多種多様な通信装置を接続することで、通信装置を広域網に接続する集線型の通信装置として有用である。
【符号の説明】
【００８４】
１  アクセス装置
２  集線装置
３  広域網
４  管理装置
２１，２１ａ  ＣＰＵパッケージ
２２  パッケージ（パッケージ装置）
３０  パッケージ種別情報テーブル
３１  パッケージ種別コード
３２  アクセス装置収容伝送速度種別
３３  パッケージポート数
３４  ポート当たりの収容アクセス装置数
３５，４４  サポートサービス情報
４０  アクセス装置種別情報テーブル
４１，５４  アクセス装置種別コード
４２  伝送速度種別
４３  ユーザポート数
５０，５０ａ  アクセス装置テーブル
５１，７４  アクセス装置ＩＤ
５２，６１，７２  スロット番号
５３，７３  パッケージポート番号
６０  パッケージテーブル
６２  許容パッケージ種別コードリスト
７０  ユーザ情報テーブル
７１  ユーザＩＤ
７５  ユーザポート番号
７６  利用サービス情報
２１１  アクセス装置登録処理部
２１２，２１２ａ  パッケージ管理部
２１３，２１３ａ  パッケージ適合判定部
２１４，２１４ａ  アクセス装置適合判定部
２１５  ユーザ登録処理部
２１６  ユーザ適合判定部
【図１】
0005901386.tif 000002
【図２】
0005901386.tif 000003
【図３】
0005901386.tif 000004
【図４】
0005901386.tif 000005
【図５】
0005901386.tif 000006
【図６】
0005901386.tif 000007
【図７】
0005901386.tif 000008
【図８】
0005901386.tif 000009